(57)【要約】【課題】対象者への装着が容易であり、よりシンプルな構成及びよりシンプルな制御にてアシスト対象身体部の動作をアシストすることができるとともに適切な補正を行ってアシストトルクの不足を抑制することができるアシスト装置を提供する。【解決手段】対象者の身体に装着される身体装着具と、アシスト対象身体部の動作を支援するアクチュエータユニットとを有し、アクチュエータユニットは、アシスト対象身体部に装着される出力リンク（５７Ｒ）と、出力リンクを介してアシストトルクを発生するアクチュエータ（４５Ｒ）と、対象者の自身の力による対象者トルクとアシストトルクとを合成した合成トルクを判定するトルク判定手段６１Ａと、合成トルクに対する補正量を求める補正手段６１Ｂと、合成トルクと補正量とに基づいて回動角度を制御する回動角度制御手段６１Ｃと、を有している。【選択図】図８
2018157930.tif 000002
【特許請求の範囲】
【請求項１】
対象者のアシスト対象身体部の周囲を含む対象者の身体に装着される身体装着具と、
前記身体装着具と前記アシスト対象身体部に装着されて、前記アシスト対象身体部の動作を支援するアクチュエータユニットと、
を有するアシスト装置であって、
前記アクチュエータユニットは、
前記アシスト対象身体部の関節回りに回動して前記アシスト対象身体部に装着される出力リンクと、
前記出力リンクを介して前記アシスト対象身体部の回動をアシストするアシストトルクを発生する出力軸を有するアクチュエータと、
対象者が前記アシスト対象身体部を自身の力で回動させることで前記出力リンクから入力された対象者トルクと、前記出力軸からの前記アシストトルクと、を合成した合成トルクを判定するトルク判定手段と、
判定した前記合成トルクに対する補正量を求める補正手段と、
前記トルク判定手段を用いて判定した前記合成トルクと、前記補正手段にて求めた前記補正量と、に基づいて前記出力軸の回動角度を制御する回動角度制御手段と、
を有している、
アシスト装置。
【請求項２】
請求項１に記載のアシスト装置であって、
前記補正手段は、前記合成トルクに基づいて、鉛直方向に対する対象者の上半身の傾斜角度である姿勢角度を求め、求めた前記姿勢角度に基づいて前記補正量を求める、
アシスト装置。
【請求項３】
請求項２に記載のアシスト装置であって、
前記姿勢角度をθＬとした場合、
前記補正手段は、予め設定された定数であるＫを用いたＫsinθＬを、前記補正量として求める、
アシスト装置。
【請求項４】
請求項１に記載のアシスト装置であって、
前記補正手段は、前記合成トルクの微分値に基づいて前記補正量を求める、
アシスト装置。
【請求項５】
請求項１〜４のいずれか一項に記載のアシスト装置であって、
前記アクチュエータユニットは、通信手段を有しており、
前記通信手段は、
前記対象者トルクを含む対象者に関する情報である対象者情報と、
前記アシストトルクを含む前記アクチュエータユニットの入出力に関する情報であるアシスト情報と、
を前記アシスト装置とは別に用意された解析システムに送信し、
前記解析システムから、前記解析システムによる解析結果を含む解析情報を受信し、
前記アクチュエータユニットは、
前記解析システムから受信した前記解析情報に基づいて、自身の動作を調整する、
アシスト装置。
【発明の詳細な説明】
【技術分野】
【０００１】
本発明は、対象者のアシスト対象身体部の動作を支援するアシスト装置に関する。
【背景技術】
【０００２】
例えば特許文献１には、対象者が、腰の屈伸で重量物を持ち上げる際や、通常の歩行の際に、腰に対する大腿部の動作をアシストする装着式動作補助装置が記載されている。装着式動作補助装置は、対象者の腰に装着される腰フレーム、背当て部、腹当て部、背当て部と腹当て部を結合する結合部材、大腿部に固定される大腿固定部、腰フレームに対して大腿固定部を駆動する駆動機構を備えている。さらに装着式動作補助装置は、対象者の皮膚に貼り付けられる生体信号検出センサ、生体信号検出センサから出力された生体信号に基づいて駆動機構を制御する制御部、を備えている。生体信号検出センサは、筋電位信号や神経伝達信号などの生体電位信号を皮膚から検出するために、微弱電位を検出するための電極を有している。そして生体信号検出センサは、対象者の腰の近傍における左右の大腿部の前側、腰の近傍における左右の大腿部の内側、左右の臀部、腰のやや上方の背中の左右等に、電極の周囲を覆う粘着シールにより、対象者の皮膚に貼り付けられる。
【先行技術文献】
【特許文献】
【０００３】
【特許文献１】特開２０１３−１７３１９０号公報
【発明の概要】
【発明が解決しようとする課題】
【０００４】
特許文献１に記載の装着式動作補助装置では、多数の生体信号検出センサが必要であり、対象者の左右の大腿部前側、左右の大腿部内側、左右の臀部、左右の背中、という具合に非常に多くの個所に生体信号検出センサを貼り付けなければならない。従って、対象者が利用する際の装着時に、非常に手間がかかる。また生体信号検出センサを貼り付ける前に、貼り付ける位置、及び貼り付ける個数（計測個所の１個所に対して、近接させた３個のセンサを貼り付ける等）を決めるのにも手間がかかる。また、多数の生体信号検出センサのそれぞれからの微弱な生体信号からノイズを除去する処理、各生体信号検出センサからの生体信号に基づいて、どのような動作を行っているのか（重量物の持ち上げをしているのか歩行をしているのか等）推測してアシストする処理が、非常に複雑になる可能性がある。
【０００５】
また、特許文献１に記載の装着式動作補助装置では、例えば対象者が足元の重量物を持ち上げる動作をアシストする場合等、対象者のアシスト対象身体部の動作がゆっくりとした動作である場合では、どのような動作であるか推測する処理が遅れて、アシストトルクが不足する可能性がある。
【０００６】
本発明は、このような点に鑑みて創案されたものであり、対象者への装着が容易であり、よりシンプルな構成及びよりシンプルな制御にてアシスト対象身体部の動作をアシストすることができるとともに適切な補正を行ってアシストトルクの不足を抑制することができるアシスト装置を提供することを課題とする。
【課題を解決するための手段】
【０００７】
上記課題を解決するため、本発明の第１の発明は、対象者のアシスト対象身体部の周囲を含む対象者の身体に装着される身体装着具と、前記身体装着具と前記アシスト対象身体部に装着されて、前記アシスト対象身体部の動作を支援するアクチュエータユニットと、を有するアシスト装置である。前記アクチュエータユニットは、前記アシスト対象身体部の関節回りに回動して前記アシスト対象身体部に装着される出力リンクと、前記出力リンクを介して前記アシスト対象身体部の回動をアシストするアシストトルクを発生する出力軸を有するアクチュエータと、対象者が前記アシスト対象身体部を自身の力で回動させることで前記出力リンクから入力された対象者トルクと、前記出力軸からの前記アシストトルクと、を合成した合成トルクを判定するトルク判定手段と、判定した前記合成トルクに対する補正量を求める補正手段と、前記トルク判定手段を用いて判定した前記合成トルクと、前記補正手段にて求めた前記補正量と、に基づいて前記出力軸の回動角度を制御する回動角度制御手段と、を有している、アシスト装置である。
【０００８】
次に、本発明の第２の発明は、上記第１の発明に係るアシスト装置であって、前記補正手段は、前記合成トルクに基づいて、鉛直方向に対する対象者の上半身の傾斜角度である姿勢角度を求め、求めた前記姿勢角度に基づいて前記補正量を求める、アシスト装置である。
【０００９】
次に、本発明の第３の発明は、上記第２の発明に係るアシスト装置であって、前記姿勢角度をθＬとした場合、前記補正手段は、予め設定された定数であるＫを用いたＫsinθＬを、前記補正量として求める、アシスト装置である。
【００１０】
次に、本発明の第４の発明は、上記第１の発明に係るアシスト装置であって、前記補正手段は、前記合成トルクの微分値に基づいて前記補正量を求める、アシスト装置である。
【００１１】
次に、本発明の第５の発明は、上記第１の発明〜第４の発明のいずれか１つに係るアシスト装置であって、前記アクチュエータユニットは、通信手段を有しており、前記通信手段は、前記対象者トルクを含む対象者に関する情報である対象者情報と、前記アシストトルクを含む前記アクチュエータユニットの入出力に関する情報であるアシスト情報と、を前記アシスト装置とは別に用意された解析システムに送信し、前記解析システムから、前記解析システムによる解析結果を含む解析情報を受信し、前記アクチュエータユニットは、前記解析システムから受信した前記解析情報に基づいて、自身の動作を調整する、アシスト装置である。
【発明の効果】
【００１２】
第１の発明によれば、身体装着具と、アクチュエータユニットの出力リンクと、を対象者の身体に装着すればよく、多数の生体信号検出センサを必要としていないので、対象者への装着が容易である。また、アクチュエータユニットは、出力リンクと、アクチュエータと、トルク判定手段と、補正手段と、回動角度制御手段と、にてシンプルに構成されている。そして、合成トルクに対する補正量を求めることで、適切な補正を行ってアシストトルクの不足を抑制することができる。
【００１３】
第２の発明によれば、対象者の姿勢角度に基づいて補正量を求めることで、適切な補正量を求めることができる。
【００１４】
第３の発明によれば、具体的な補正量を、より簡単に求めることができる。
【００１５】
第４の発明によれば、合成トルクの微分値に基づいて補正量を求めることで、適切な補正量を求めることができる。
【００１６】
第５の発明によれば、アシスト装置とは別に解析システムを用意しておき、アシスト装置からの対象者情報とアシスト情報とを用いて、解析システムにてアシスト装置の動作等を解析する。そして解析システムからの解析情報に基づいて、アシスト装置は自身の動作を調整（アジャスト）する。従って、アシスト装置に高度な解析プログラム等を搭載する必要がなく、対象者に固有の最適な設定等を比較的容易に行うことができる。
【図面の簡単な説明】
【００１７】
【図１】アシスト装置の全体構成の例を説明する斜視図である。
【図２】図１に示すアシスト装置における身体装着具の外観の例を説明する斜視図である。
【図３】図１に示すアシスト装置におけるアクチュエータユニットの外観の例を説明する斜視図である。
【図４】アクチュエータユニットの内部構造の例を説明する分解斜視図である。
【図５】仮想回動軸線をとおるＺＹ平面にてアシスト装置を切断した断面図であり、回動機構の構造、開き角度付与機構の構造、の例を説明する断面図である。
【図６】アシスト装置を装着した対象者が背筋を伸ばしている状態を説明する図である。
【図７】図６に示す状態から、対象者が前傾姿勢となり、仮想回動軸線回りにフレーム部及び上半身装着部が回動した状態を説明する図である。
【図８】制御装置の入出力を説明する図である。
【図９】制御装置の制御ブロック図である。
【図１０】図９に示した制御ブロック図に基づいた処理手順を説明するフローチャートである。
【発明を実施するための形態】
【００１８】
以下、図１〜図７に基づいてアシスト装置１の全体構造について説明する。アシスト装置１は、例えば、対象者が荷物を持ち上げる際に腰部に対する大腿部の回動をアシストしたり、対象者が歩行する際に腰部に対する大腿部の回動をアシストしたりする装置である。なお、各図中のＸ軸、Ｙ軸、Ｚ軸は、互いに直交しており、アシスト装置を装着した対象者から見て、Ｘ軸方向は前方向、Ｙ軸方向は左方向、Ｚ軸方向は上方向、に対応している。
【００１９】
●●［アシスト装置１の全体構造（図１〜図７）］
図１に、アシスト装置１の全体の外観を示す。アシスト装置１は、身体装着具２（図２参照）と、アクチュエータユニット４Ｒ（図３参照）と、アクチュエータユニット４Ｌとを有している。身体装着具２は、対象者のアシスト対象身体部（本実施の形態の例では、大腿部）の周囲を含む身体に装着されるものである。アクチュエータユニット４Ｒ（４Ｌ）は、身体装着具２とアシスト対象身体部に装着されて、アシスト対象身体部の動作を支援（アシスト）する。以下、身体装着具２とアクチュエータユニット４Ｒを順に説明する。
【００２０】
●［身体装着具２の全体構成（図２）］
図２に示すように、身体装着具２は、対象者の腰回りに装着される腰装着部１０と、対象者の上半身のいずれかの位置に装着される上半身装着部２０と、腰装着部１０と上半身装着部２０とを接続するフレーム部３０と、を有している。
【００２１】
腰装着部１０は、対象者の右半身の腰回りに装着される右腰装着部１１Ｒと、対象者の左半身の腰回りに装着される左腰装着部１１Ｌとを有している。また腰装着部１０は、対象者の腰回りに巻回される所定厚さの腰パッド部１２Ａと、腰パッド部１２Ａの外周に配置された腰布部１２Ｂと、腰布部１２Ｂの外周に配置された所定厚さの腰ベース部１２Ｃと、にて３層で構成された腰当部１２Ｄを有している。腰パッド部１２Ａは、例えば弾性部材で構成され、腰ベース部１２Ｃは例えば樹脂等で構成されている。また右腰装着部１１Ｒと、左腰装着部１１Ｌは、対象者への着脱を容易にするために、長さを調整可能なベルト１３Ｒに設けられたバックル１３ＲＢと、長さを調整可能なベルト１３Ｌに設けられたバックル１３ＬＢと、を有している。
【００２２】
また、腰装着部１０には、対象者に装着された場合に対象者の股関節の周囲において対象者の左右方向に延びるように仮想回動軸線１５Ｙが設定されている。仮想回動軸線１５Ｙと右腰装着部１１Ｒとの交差位置には、仮想回動軸線１５Ｙに沿って右方向に突出した回動軸部１５Ｒが、腰ベース部１２Ｃに固定されている（図５参照）。同様に、仮想回動軸線１５Ｙと左腰装着部１１Ｌとの交差位置には、仮想回動軸線１５Ｙに沿って左方向に突出した回動軸部１５Ｌが、腰ベース部１２Ｃに固定されている。
【００２３】
上半身装着部２０は、対象者の右半身の上半身のいずれかの位置に装着される右上半身装着部２１Ｒと、対象者の左半身の上半身のいずれかの位置に装着される左上半身装着部２１Ｌとを有している。右上半身装着部２１Ｒは、右胸装着部２６Ｒと、ベルト２３Ｒ及びバックル２３ＲＢと、ベルト２５Ｒと、右肩部ベルト２４Ｒとを有している。同様に、左上半身装着部２１Ｌは、左胸装着部２６Ｌと、ベルト２３Ｌ及びバックル２３ＬＢと、ベルト２５Ｌと、左肩部ベルト２４Ｌとを有している。右肩部ベルト２４Ｒと左肩部ベルト２４Ｌとベルト２３Ｒ、２３Ｌ、２５Ｒ、２５Ｌは、長さの調整が可能であり、バックル２３ＲＢ、２３ＬＢは、対象者への上半身装着部２０の着脱を容易にする。
【００２４】
右胸装着部２６Ｒと左胸装着部２６Ｌは、対象者の胸を覆うように装着される所定厚さのパッド部２２Ａ（例えば弾性部材）と、パッド部２２Ａの外周に配置された布部２２Ｂと、にて２層で構成されている。なお、ベルト２５Ｒにおける背面の側は背面フレーム部３３に接続され、ベルト２５Ｒの前面の側は右胸装着部２６Ｒの背面の側に接続され、右胸装着部２６Ｒの前面の側にはベルト２３Ｒを介してバックル２３ＲＢが接続されている。同様に、ベルト２５Ｌにおける背面の側は背面フレーム部３３に接続され、ベルト２５Ｌの前面の側は左胸装着部２６Ｌの背面の側に接続され、左胸装着部２６Ｌの前面の側にはベルト２３Ｌを介してバックル２３ＬＢが接続されている。このように、ベルト２５Ｒ、右胸装着部２６Ｒ、ベルト２３Ｒ（バックル２３ＲＢ）、ベルト２３Ｌ（バックル２３ＬＢ）、左胸装着部２６Ｌ、ベルト２５Ｌ、の経路にて、対象者の右腋下から対象者の胸を経由して対象者の左腋下へと至る胸装着部（右胸装着部２６Ｒ、左胸装着部２６Ｌ）が構成されている。
【００２５】
右肩部ベルト２４Ｒは、前面の側が、右胸装着部２６Ｒの前面の上方に接続され、背面の側が、背面フレーム部３３に接続されている。このように右肩部ベルト２４Ｒは、アシスト装置１が対象者に装着された場合に、対象者の上半身の正面側（正面の右側）から対象者の肩（右肩）の上を経由して対象者の背面に至る。同様に、左肩部ベルト２４Ｌは、前面の側が、左胸装着部２６Ｌの前面の上方に接続され、背面の側が、背面フレーム部３３に接続されている。このように左肩部ベルト２４Ｌは、アシスト装置１が対象者に装着された場合に、対象者の上半身の正面側（正面の左側）から対象者の肩（左肩）の上を経由して対象者の背面に至る。なお、右肩部ベルト２４Ｒにおける背面の側を背面フレーム部３３の左側に接続し、左肩部ベルト２４Ｌにおける背面の側を背面フレーム部３３の右側に接続して、右肩部ベルト２４Ｒと左肩部ベルト２４Ｌが対象者の背面で交差するようにしてもよい。
【００２６】
フレーム部３０は、左右連結フレーム部３２と、ボックス３２ＲＢ、３２ＬＢと、回動部３２Ｒ、３２Ｌと、パッド３２ＲＰ、３２ＬＰと、ボックス３１と、背面フレーム部３３等を有している。左右連結フレーム部３２は、右腰装着部１１Ｒにおける仮想回動軸線１５Ｙとの交差位置（すなわち、回動軸部１５Ｒ）と、左腰装着部１１Ｌにおける仮想回動軸線１５Ｙとの交差位置（すなわち、回動軸部１５Ｌ）と、を連結している。なお、図５、図１に示すように、左右連結フレーム部３２は、ボックス３２ＲＢと回動部３２Ｒを介して回動軸部１５Ｒに接続されている。同様に、図１に示すように、左右連結フレーム部３２は、ボックス３２ＬＢと回動部３２Ｌを介して回動軸部１５Ｌに接続されている。そして左右連結フレーム部３２は、対象者の背面の側に配置されるように湾曲されており、フレーム部３０に対して腰装着部１０を位置決めしている。ボックス３１には、例えばアクチュエータユニット４Ｒ、４Ｌの制御装置や電池等が収容されている。背面フレーム部３３は、左右連結フレーム部３２と、上半身装着部２０と、を接続して対象者の背中側に配置され、上下方向の長さが調整可能とされている。
【００２７】
回動部３２Ｒとパッド３２ＲＰは、仮想回動軸線１５Ｙ回りに回動可能となるように回動軸部１５Ｒに取り付けられている（図５参照）。回動部３２Ｒにおける回動軸部１５Ｒとは反対の側には、ボックス３２ＲＢが設けられている。ボックス３２ＲＢの下方には、アクチュエータユニット４Ｒを保持するための保持部３２ＲＣが設けられている（図５参照）。ボックス３２ＲＢには、例えば、アシスト装置１の電源のＯＮ／ＯＦＦやアシスト倍率等の動作状態の指示を行うための複数の入力手段３２ＲＳを有している。なお、回動軸部１５Ｌ、回動部３２Ｌ、ボックス３２ＬＢ等も同様であるので、これらの説明は省略する。以上に説明した構成により、フレーム部３０及び上半身装着部２０は、腰装着部１０に対して、仮想回動軸線１５Ｙ回りに回動可能とされている。なお、腰装着部１０に対して、フレーム部３０（及び上半身装着部２０）を仮想回動軸線１５Ｙ回りに回動可能に支持する回動機構の構造の詳細については後述する。
【００２８】
●［アクチュエータユニット４Ｒの外観と内部構造（図３、図４）］
図３は、図２に示すボックス３２ＲＢの下方に設けられた保持部３２ＲＣに接続される（右側用の）アクチュエータユニット４Ｒの外観を示している。なお、ボックス３２ＬＢの下方の保持部３２ＬＣに接続される（左側用の）アクチュエータユニット４Ｌ（図１参照）については、アクチュエータユニット４Ｒを左右対称としたものであるので、説明を省略する。
【００２９】
図３に示すように、アクチュエータユニット４Ｒは、トルク発生部４０Ｒと、トルク伝達部５０Ｒと、を有している。トルク発生部４０Ｒは、アクチュエータベース部４１Ｒと、カバー４１ＲＢと、を有している。なお、カバー４１ＲＢに収容されている各部材については後述する。
【００３０】
トルク伝達部５０Ｒは、大腿アーム５１Ｒと、大腿装着部５２Ｒと、を有している。大腿アーム５１Ｒは、図４に示すように、接続部５６Ｒを介してアシストアーム５７Ｒに接続されている。アシストアーム５７Ｒは、アクチュエータユニット４Ｒが発生したアシストトルクと、対象者による大腿部の動作による対象者トルクと、が合成された合成トルクによって揺動する。接続部５６Ｒは、図３に点線で示すように、アシストアーム５７Ｒに対して、大腿アーム５１Ｒが右方向に開くように回動可能となるように、大腿アーム５１Ｒを支持している。なお、アシストアーム５７Ｒは、出力リンクに相当している。
【００３１】
大腿装着部５２Ｒは、図３に示すように、調整部５２ＲＡと、大腿ベース部５２ＲＢと、パッド部５２ＲＣと、ベルト５２ＲＤ、５２ＲＥと、バックル５２ＲＦ、５２ＲＧと、を有している。調整部５２ＲＡは、対象者の大腿部の長さに応じて、アクチュエータベース部４１Ｒから大腿装着部５２Ｒまでの距離Ｌ１を調整可能である。大腿ベース部５２ＲＢ及びパッド部５２ＲＣは、例えば弾性部材で構成されている。
【００３２】
次に、図４を用いて、カバー４１ＲＢに収容されている各部材について説明する。カバー４１ＲＢ内には、軸部５７ＲＡを有するアシストアーム５７Ｒ、減速機４２Ｒ、渦巻バネ４３Ｒ、従動プーリ４４Ｒ、伝達ベルト４５ＲＢ、駆動プーリ４５ＲＡ、電動モータ４５Ｒ（アクチュエータに相当）等が収容されている。なお、図示省略するが、アクチュエータベース部４１Ｒに対するアシストアーム５７Ｒの回動角度を検出するアーム回動角度検出手段（回動角度センサ等）が、カバー４１ＲＢ内に設けられている。また電動モータ４５Ｒには、モータ軸（出力軸に相当）の回転角度を検出可能なモータ回転角度検出手段４５ＲＥが設けられている。モータ回転角度検出手段４５ＲＥは、例えばエンコーダや角度センサであり、回転角度に応じた検出信号を制御装置６１（図８参照）に出力する。
【００３３】
なお、アクチュエータベース部４１Ｒは、接続部４１ＲＣ、回動軸支持孔４１ＲＡ、モータ支持孔４１ＲＭ等が設けられている。接続部４１ＲＣは、保持部３２ＲＣ（図２参照）に対して、アクチュエータベース部４１Ｒが回動軸線４１ＲＸ回りに回動可能となるように、保持部３２ＲＣに接続される。回動軸支持孔４１ＲＡには軸受５７ＲＢが圧入され、軸受５７ＲＢには軸部５７ＲＡが圧入される。なお、軸受５７ＲＢから突出した軸部５７ＲＡの先端部には、抜け防止リング５７ＲＣが嵌め込まれる（図５参照）。これにより、アシストアーム５７Ｒは、アクチュエータベース部４１Ｒに対して、回動軸線４０Ｙ回りに回動可能に支持される。そしてアシストアーム５７Ｒは、減速機４２Ｒの第１入出力部４２ＲＡに接続され、第１入出力部４２ＲＡと一体となって回動する。また軸部５７ＲＡの先端には、アクチュエータベース部４１Ｒに対するアシストアーム５７Ｒの回動角度を検出する出力リンク回動角度検出手段５７ＲＥが設けられている。出力リンク回動角度検出手段５７ＲＥは、例えばエンコーダや角度センサであり、回動角度に応じた検出信号を制御装置６１（図８参照）に出力する。なお、軸受５７ＲＢ、軸部５７ＲＡ、減速機４２Ｒ、渦巻バネ４３Ｒ、従動プーリ４４Ｒは、回動軸線４０Ｙに沿って同軸となるように配置されている。
【００３４】
減速機４２Ｒは、減速比ｎが設定されており、第１入出力部４２ＲＡが回動角度θだけ回動された場合に、第２入出力部４２ＲＢを回動角度ｎθだけ回動させる。また減速機４２Ｒは、第２入出力部４２ＲＢが回動角度ｎθだけ回動された場合に、第１入出力部４２ＲＡを回動角度θだけ回動させる。減速機４２Ｒの第２入出力部４２ＲＢには、溝４２ＲＣが設けられており、当該溝４２ＲＣには、渦巻バネ４３Ｒの内側端部４３ＲＣが嵌め込まれている。
【００３５】
渦巻バネ４３Ｒは、電動モータ４５Ｒから伝達されたアシストトルクを蓄えるとともに、対象者の大腿部の動作によってアシストアーム５７Ｒと減速機４２Ｒを経由して伝達された対象者トルクを蓄え、その結果として、アシストトルクと対象者トルクとを合成した合成トルクを蓄える。そして、渦巻バネ４３Ｒに蓄えられた合成トルクは、減速機４２Ｒとアシストアーム５７Ｒを介して大腿アーム５１Ｒを回動させる。渦巻バネ４３Ｒは、バネ定数Ｋｓを有し、中心側に内側端部４３ＲＣ、外周側に外側端部４３ＲＡを有する渦巻き形状を有している。内側端部４３ＲＣは、減速機４２Ｒの第２入出力部４２ＲＢに形成された溝４２ＲＣに嵌め込まれて支持されている。外側端部４３ＲＡは、従動プーリ４４Ｒに設けられた伝達軸４４ＲＡが嵌め込まれ、当該伝達軸４４ＲＡにて支持されている。渦巻バネ４３Ｒに蓄えられている合成トルクは、無負荷状態からの角度変化量とバネ定数に基づいて求められ、例えば、アシストアーム５７Ｒの回動角度（図示省略したアーム回動角度検出手段にて求められる）と、電動モータ４５Ｒのモータ軸の回転角度（図示省略したエンコーダにて求められる）と、渦巻バネ４３Ｒのバネ定数Ｋｓと、に基づいて求められる。そして求められた合成トルクから対象者トルクが抽出され、当該対象者トルクに応じたアシストトルクが電動モータから出力される。なお、上記の角度変化量の算出、合成トルクの算出、対象者トルクの抽出、アシストトルクの算出、電動モータへの制御信号の出力等は、ボックス３１（またはボックス３２ＲＢ、３２ＬＢ）に収容されている制御装置によって行われる。
【００３６】
従動プーリ４４Ｒは、回動軸線４０Ｙ回りに回動可能に支持され、外周縁部の近傍に、渦巻バネ４３Ｒの側に突出する伝達軸４４ＲＡが設けられている。伝達軸４４ＲＡは、渦巻バネ４３Ｒの外側端部４３ＲＡに嵌め込まれ、外側端部４３ＲＡの位置を回動軸線４０Ｙ回りに移動させる。従動プーリ４４Ｒは、伝達ベルト４５ＲＢと駆動プーリ４５ＲＡを介して電動モータ４５Ｒから回転駆動される。電動モータ４５Ｒから回転駆動された従動プーリ４４Ｒは、伝達軸４４ＲＡを介して渦巻バネ４３Ｒにアシストトルクを蓄える。
【００３７】
●［回動機構の構造（図５）と動作（図６、図７）と、開き角度付与機構の構造（図５）］
次に図５に示す断面図を用いて、腰装着部１０に対して、フレーム部３０を仮想回動軸線１５Ｙ回りに回動可能に支持する回動機構の詳細について説明する。以下、図５を用いて、右腰装着部１１Ｒに設けられた回動軸部１５Ｒを含む回動機構の説明をするが、左腰装着部１１Ｌ（図２参照）に設けられた回動軸部１５Ｌ（図２参照）を含む回動機構も同様であるので、回動軸部１５Ｌを含む回動機構については説明を省略する。
【００３８】
回動機構は、回動軸部１５Ｒと、当該回動軸部１５Ｒを嵌め込むために回動部３２Ｒに設けられた孔部と、にて構成されている。回動軸部１５Ｒは、右腰装着部１１Ｒの腰ベース部１２Ｃにおける仮想回動軸線１５Ｙとの交差する位置に、仮想回動軸線１５Ｙに沿って、右腰装着部１１Ｒから外方に突出するように設けられている（固定されている）。そしてフレーム部３０における回動部３２Ｒの下方の孔部に、回動軸部１５Ｒが軸受１５ＲＢを介して嵌め込まれている。なお軸受１５ＲＢから突出した回動軸部１５Ｒの先端部には、抜け防止リング１５ＲＣが嵌め込まれている。なお、本実施の形態の説明では、回動軸部１５Ｒを右腰装着部１１Ｒに固定して回動部３２Ｒに孔部を設けた例を説明したが、回動軸部１５Ｒを回動部３２Ｒに固定して右腰装着部１１Ｒに孔部を設けるようにしてもよい。以上に説明した回動機構によって、図６及び図７に示すように、腰装着部１０に対して、フレーム部３０（フレーム部３０及び上半身装着部２０）は、対象者の動作に応じて、仮想回動軸線１５Ｙ回りに回動する。その結果、図６及び図７に示すように、例えば対象者の姿勢が直立姿勢から前傾姿勢に変化しても、腰装着部１０は、対象者の腰の位置から上下にズレることがない。これにより、大腿アーム５１Ｒを介してアシストトルクを効率よく伝達することができる。なお、図７に示す鉛直方向に対する対象者の上半身の傾斜角度を回動角度（実リンク角度θＬであり、この場合、姿勢角度に相当）とすると、当該回動角度は、出力リンク回動角度検出手段５７ＲＥ（図４参照）にて検出することができる。
【００３９】
次に、フレーム部３０に対して、アクチュエータユニット４Ｒを左右方向に回動させる開き角度付与機構について説明する。以下、腰装着部１０の右側に取り付けられるアクチュエータユニット４Ｒについて、開き角度付与機構の説明をするが、腰装着部１０の左側に取り付けられるアクチュエータユニット４Ｌ（図１参照）の開き角度付与機構も同様であるので、アクチュエータユニット４Ｌの開き角度付与機構については説明を省略する。開き角度付与機構は、図５における保持部３２ＲＣと接続部４１ＲＣにて構成される第１開き角度付与機構と、図４における接続部５６Ｒにて構成される第２開き角度付与機構と、が有る。
【００４０】
第１開き角度付与機構は、図５において、ボックス３２ＲＢの下方に設けられた保持部３２ＲＣと、アクチュエータユニット４Ｒのアクチュエータベース部４１Ｒに設けられた接続部４１ＲＣと、にて構成されている。接続部４１ＲＣは、保持部３２ＲＣに対して、前後方向に延びる回動軸線４１ＲＸ回りに回動可能に支持される。従って、腰装着部１０に対して、アクチュエータユニット４Ｒは、回動軸線４１ＲＸ回りに回動可能である。この回動によって、例えば対象者が大腿部を左右に開いた場合、図５における回動部３２Ｒの長手方向と、アクチュエータベース部４１Ｒの長手方向と、がなす角度である第１開き角度が変化する。つまり、第１開き角度付与機構は、腰装着部１０に対して、アクチュエータユニット４Ｒの全体を、左右方向に開く（回動させる）機構（アクチュエータユニット４Ｌの全体を左右方向に開く（回動させる）機構）である。
【００４１】
第２開き角度付与機構は、図４において、アシストアーム５７Ｒと大腿アーム５１Ｒとを接続している接続部５６Ｒにて構成されている。接続部５６Ｒは、図３に示すように、アシストアーム５７Ｒに対して、大腿アーム５１Ｒが左右方向に回動可能となるように、大腿アーム５１Ｒを接続している。この回動によって、例えば対象者が大腿部を左右に開いた場合、図４におけるアシストアーム５７Ｒの長手方向と、大腿アーム５１Ｒの長手方向と、がなす角度である第２開き角度が変化する。つまり、第２開き角度付与機構は、アシストアーム５７Ｒに対して、大腿アーム５１Ｒを左右方向に開く（回動させる）機構（左用のアシストアームに対して、当該左用の大腿アームを左右方向に開く（回動させる）機構）である。また、第１開き角度付与機構や、第２開き角度付与機構の開く度合（開く角度）は、調整可能であり、対象者の大腿部の股関節の外転、外旋（外側へ離れる）動作に加え、対象者の大腿部の股関節の内転、内旋（内側へ向かう）動作も行うことが可能である。これにより、対象者の動作の妨げにならないように、大腿アーム５１Ｒが動作して、大腿部へのアシストトルクを効率良く伝達することができる。
【００４２】
開き角度付与機構は、上記の第１開き角度付与機構と、第２開き角度付与機構と、の双方を有していてもよいし、一方のみを有していてもよい。第１開き角度付与機構と第２開き角度付与機構とを有している場合では、上記の第１開き角度と第２開き角度との和が開き角度となる。
【００４３】
なお、保持部３２ＲＣに支持された接続部４１ＲＣ及びアクチュエータベース部４１Ｒが、図５に示すように回動部３２Ｒと平行となる状態の場合（すなわち、上記の第１開き角度がゼロの場合）、アクチュエータユニット４Ｒの回動軸線４０Ｙは、仮想回動軸線１５Ｙと一致するように設定されている。従って、アクチュエータベース部４１Ｒが回動部３２Ｒと平行な状態の場合（第１開き角度がゼロの場合）、腰装着部１０に対して、フレーム部３０が仮想回動軸線１５Ｙ回りにどのように回動しても、仮想回動軸線１５Ｙと回動軸線４０Ｙは一致した状態が維持される（図６、図７参照）。なお、例えば対象者が、重量物を持ち上げるために、大腿部を左右に開いて踏ん張るような場合、大腿アーム５１Ｒを含むアクチュエータユニット４Ｒ、４Ｌ（図１参照）が、回動軸線４１ＲＸ、４１ＬＸ（図１参照）回りに回動、あるいは接続部５６Ｒによって大腿アームが左右に開くように回動、の少なくとも一方の回動が発生する。そして、左右に開いた大腿部に追従してアクチュエータユニットが左右に開く。従って、対象者が大腿部を左右に開いた状態でも、アシストトルクを大腿部に適切に伝達することができる。
【００４４】
●［制御装置６１の入出力（図８）］
制御装置６１は、図８に示すように、例えばボックス３１内に収容されている。図８に示す例では、ボックス３１内に、制御装置６１、モータドライバ６２、電源ユニット６３等が収容されている。制御装置６１は、例えばＣＰＵや、記憶装置（制御プログラム等を格納）を有している。なお制御装置６１は、後述するトルク判定手段６１Ａ（トルク判定部）、補正手段６１Ｂ（補正部）、回動角度制御手段６１Ｃ（回動角度制御部）等を有している。モータドライバ６２は、制御装置６１からの制御信号に基づいて、電動モータ４５Ｒを駆動する駆動電流を出力する電子回路である。電源ユニット６３は、例えばリチウム電池であり、制御装置６１とモータドライバ６２に電力を供給する。
【００４５】
制御装置６１には、入力手段３２ＲＳからの入力信号と、モータ回転角度検出手段４５ＲＥからの検出信号（電動モータ４５Ｒの実モータ軸角度θａに応じた検出信号）と、出力リンク回動角度検出手段５７ＲＥからの検出信号（アシストアーム５７Ｒの実リンク角度θＬに応じた検出信号）等が入力されている。制御装置６１は、入力された信号に基づいて、電動モータ４５Ｒの回転角度を求め、求めた回転角度に応じた制御信号をモータドライバ６２に出力する。入力手段３２ＲＳは、例えば、対象者から制御装置６１の動作と停止を指示する電源スイッチや、対象者からのアシスト倍率α（０＜α）の設定を行う調整ダイヤルや、対象者からの微分補正ゲインβ（０≦β）の設定を行う調整ダイヤル等である。アシスト倍率α、微分補正ゲインβは、アシストトルク出力、バネ定数、に基づいて決められ、大きなアシストトルクが必要な時は、大きな値（例えば、α＞１）が設定される。
【００４６】
●［制御ブロック（図９）と、制御装置６１の処理手順（図１０）］
次に、図１０に示すフローチャートと図９に示す制御ブロックを用いて、制御装置６１の処理手順について説明する。図１０に示す処理は、所定時間間隔（例えば数［ｍｓ］間隔）に起動され、当該処理が起動されると制御装置６１は、ステップＳＢ１００へと処理を進める。
【００４７】
［ステップＳＢ１００］
ステップＳＢ１００は、入力信号の処理である。ステップＳＢ１００にて制御装置６１は、入力手段３２ＲＳ（図５参照）からの入力信号に基づいて、今回のアシスト倍率αを決定して記憶し、今回の微分補正ゲインβを決定して記憶する。また、制御装置６１は、前回の処理タイミング時に求めたアシストトルク指令値（トルク可変型）τa_ref_torq（ｔ）を、前回のアシストトルク指令値（トルク可変型）τa_ref_torq（ｔ−１）に記憶する（図９中のＢ２６rtnに相当）。また制御装置６１は、今回の処理タイミングにて検出したモータ軸角度を実モータ軸角度θａ（ｔ）に記憶する（図９中のＢ４１fbに相当）。
【００４８】
また制御装置６１は、前回の処理タイミング時に求めた実リンク角度θＬ（ｔ）を、前回の実リンク角度θＬ（ｔ−１）に記憶し、今回の処理タイミングにて検出した出力リンク（アシストアーム５７Ｒ）の回動角度を実リンク角度θＬ（ｔ）に記憶する。そして制御装置６１は、以下のようにリンク角変位量ΔθＬを求めて記憶する（図９中のＢ１１outに相当）。
【００４９】
ブロックＢ１０、Ｂ１１は、ブロックＢ１１から出力されるΔθＬを求めるための仮想的なブロックを示しており、前回の処理タイミング時の合成トルク（ｔ）を、前回の合成トルク（ｔ−１）に記憶する。また、ブロックＢ４３から入力される今回の合成トルク（ｔ）は、電動モータ４５Ｒの実モータ軸角度θａ（ｔ）、出力リンク（アシストアーム５７Ｒ）の実リンク角度θＬ（ｔ）、渦巻バネ４３Ｒのバネ定数Ｋｓ、減速機４２Ｒの減速比、駆動プーリ４５ＲＡと従動プーリ４４Ｒのプーリ比、等に基づいて求めることができる。そして、求めた今回の合成トルク（ｔ）と、前回の合成トルク（ｔ−１）と、対象者からの対象者トルクτＨと、実リンク角度θＬ等に基づいて、リンク角変位量ΔθＬを求めることを示している。
【００５０】
なお、図９に示す制御ブロックにおけるブロックＢ１１の出力Ｂ１１outからブロックＢ２７までの処理が、制御装置６１による総アシストトルク指令値τa_ref（ｔ）を求める処理である。また、総アシストトルク指令値τa_ref（ｔ）は、図９に示すように、ブロックＢ２１から出力されるアシストトルク指令値（姿勢角可変型）τa_ref_ang（ｔ）と、ブロックＢ２６から出力されるアシストトルク指令値（トルク可変型）τa_ref_torq（ｔ）との和である（式１を参照）。
τa_ref（ｔ）＝τa_ref_torq（ｔ）＋τa_ref_ang（ｔ）    （式１）
【００５１】
［ステップＳＢ２１］
まず、アシストトルク指令値（姿勢角可変型）τa_ref_ang（ｔ）を求める処理について説明する。アシストトルク指令値（姿勢角可変型）τa_ref_ang（ｔ）を求める処理は、図１０に示すステップＳＢ２１の処理であり、図９に示すブロックＢ２１に相当している。ステップＳＢ２１にて制御装置６１は、予め設定されている姿勢補正ゲインＫに、実リンク角度θＬ（ｔ）に基づいたsinθＬ（ｔ）を乗算して、アシストトルク指令値（姿勢角可変型）τa_ref_ang（ｔ）を求める（式２を参照）。なお、姿勢補正ゲインＫは、例えば０〜１０の範囲内の値（０≦Ｋ≦１０）であり、要求アシスト量、当該処理の時間間隔（サンプリング時間）、出力リンク回動角度検出手段やモータ回転角度検出手段の検出分解能、対象者の身長や体重、等に応じて設定されるゲイン（定数）である。
τa_ref_ang（ｔ）＝Ｋ＊sinθＬ（ｔ）    （式２）
【００５２】
［ステップＳＢ２２］
次に、アシストトルク指令値（トルク可変型）τa_ref_torq（ｔ）を求める処理について説明する。アシストトルク指令値（トルク可変型）τa_ref_torq（ｔ）を求める処理は、図１０に示すステップＳＢ２２〜ステップＳＢ２６の処理であり、ステップＳＢ２２の処理は図９に示すブロックＢ２２、Ｂ２３に相当し、ステップＳＢ２４の処理は図９に示すブロックＢ２４、Ｂ２５に相当し、ステップＳＢ２６の処理は図９に示すブロックＢ２６に相当している。ステップＳＢ２２にて制御装置６１は、実リンク角度のリンク角変位量ΔθＬとバネ定数Ｋｓ（Ｋｓは、渦巻バネ４３Ｒのバネ定数）に基づいて、バネトルク変化量Δτｓを求める（式３を参照）。そして制御装置６１は、バネトルク変化量Δτｓに、アシスト倍率α（ステップＳＢ１００にて決定）を乗算し、要求バネトルク変化量α＊Δτｓを求める。
Δτｓ＝Ｋｓ＊ΔθＬ    （式３）
【００５３】
［ステップＳＢ２４］
ステップＳＢ２４にて制御装置６１は、バネトルク変化量Δτｓの微分値である（ｄ／ｄｔ）Δτｓを求める。そして制御装置６１は、バネトルク変化量の微分値（ｄ／ｄｔ）Δτｓに、微分補正ゲインβ（ステップＳＢ１００にて決定）を乗算し、微分補正量である要求バネトルク微分量β＊（ｄ／ｄｔ）Δτｓを求める。
【００５４】
［ステップＳＢ２６］
ステップＳＢ２６にて制御装置６１は、ステップＳＢ１００にて記憶されたτa_ref_torq（ｔ−１）と、ステップＳＢ２２にて求めたα＊Δτｓと、ステップＳＢ２４にて求めたβ＊（ｄ／ｄｔ）Δτｓと、の和を求めることで、アシストトルク指令値（トルク可変型）τa_ref_torq（ｔ）を求める（式４を参照）。
τa_ref_torq（ｔ）＝τa_ref_torq（ｔ−１）＋α＊Δτｓ＋β＊（ｄ／ｄｔ）Δτｓ    （式４）
【００５５】
［ステップＳＢ２７］
ステップＳＢ２７にて制御装置６１は、ステップＳＢ２１にて求めたτa_ref_ang（ｔ）と、ステップＳＢ２６にて求めたτa_ref_torq（ｔ）と、の和を求めることで、総アシストトルク指令値τa_ref（ｔ）を求める（式５を参照）。
τa_ref（ｔ）＝τa_ref_torq（ｔ）＋τa_ref_ang（ｔ）    （式５）
【００５６】
［ステップＳＢ３０］
次に、モータ回転角度指令値θM_ref（ｔ）を求める処理について説明する。モータ回転角度指令値θM_ref（ｔ）を求める処理は、図１０に示すステップＳＢ３０の処理であり、図９に示すブロックＢ３０に相当している。ステップＳＢ３０にて制御装置６１は、ステップＳＢ２７にて求めたτa_ref（ｔ）に基づいて、モータ回転角度指令値θM_ref（ｔ）を求める。なお、Ｋｓ：渦巻バネ４３Ｒのバネ定数、θＬ：出力リンク（アシストアーム５７Ｒ）の回動角度、ｎａ及びｎｂ：減速機４２Ｒにおける第１入出力部４２Ｒａをｎａ回転させた場合に第２入出力部４２Ｒｂはｎｂ回転する、とした場合、以下の（式６）が成立する。そして（式６）を整理して（式７）を得ることができる。
τa_ref＝ｎａ＊Ｋｓ＊［ｎａ＊θＬ−（θM_ref／ｎｂ）］    （式６）
θM_ref＝［（ｎａ２＊Ｋｓ＊θＬ−τa_ref）＊ｎｂ］／（ｎａ＊Ｋｓ）    （式７）
【００５７】
［ステップＳＢ３１］
ステップＳＢ３１の処理は、図９に示すブロックＢ３１、ブロックＢ４０に相当している。ステップＳＢ３１にて制御装置６１は、ステップＳＢ３０にて求めたモータ回転角度指令値θM_refとなるように、電動モータ４５Ｒをフィードバック制御する。なお、図９に示すブロックＢ４１は電動モータ４５Ｒに相当しており、ブロックＢ４１から出力されてブロックＢ３１へ入力されるＢ４１ｆｂは、電動モータ４５Ｒにおける実モータ軸角度θａ（ｔ）に相当している。
【００５８】
そして、ブロックＢ４１（電動モータ４５Ｒ）のトルクは、ブロックＢ４２（駆動プーリ４５ＲＡ、伝達ベルト４５ＲＢ、従動プーリ４４Ｒ）を経由した総アシストトルクτａとしてブロックＢ４３に入力される。またブロックＢ４３には、対象者自身から入力されたトルクである対象者トルクτＨも入力される。ブロックＢ４３は渦巻バネ４３Ｒに相当しており、電動モータ４５Ｒから入力された総アシストトルクτａと、対象者自身から入力された対象者トルクτＨと、を合成した合成トルクに応じた角度にて渦巻バネの周方向に伸縮され、合成トルクが蓄えられる。なお、合成トルクは、電動モータ４５Ｒの実モータ軸角度θａ（ｔ）、出力リンク（アシストアーム５７Ｒ）の実リンク角度θＬ（ｔ）、渦巻バネ４３Ｒのバネ定数Ｋｓ、減速機４２Ｒの減速比、駆動プーリ４５ＲＡと従動プーリ４４Ｒのプーリ比、に基づいて求めることができる。
【００５９】
そしてブロックＢ４３（渦巻バネ）に蓄えられた合成トルクは、ブロックＢ５０（減速機４２Ｒとアシストアーム５７Ｒ）からアシスト対象身体部（この場合、大腿部）へと伝達（出力）される。そしてブロックＢ５０におけるアシストアーム５７Ｒの回動角度が、実リンク角度θＬとなる。
【００６０】
図１０におけるステップＳＢ１００において、合成トルクを求める処理は、対象者がアシスト対象身体部（この場合、大腿部または上半身）を自身の力で回動させることで出力リンク（アシストアーム５７Ｒ）から入力された対象者トルクと、（電動モータの）出力軸からのアシストトルクと、を合成した合成トルクを判定するトルク判定手段６１Ａ（トルク判定部であり、図８参照）に相当する。
【００６１】
また、図８に示す補正手段６１Ｂ（補正部）には、以下の２つの補正（［姿勢補正］と［微分補正］）が相当している。姿勢補正は、図１０のステップＳＢ２１における、判定した合成トルクに対する（姿勢）補正量であるアシストトルク指令値（姿勢角可変型）τa_ref_angを求める手段である。微分補正は、図１０のステップＳＢ２４における、判定した合成トルクに対する（微分）補正量である要求バネトルク微分量β＊（ｄ／ｄｔ）Δτｓを求める手段である。なお、本実施の形態では、（姿勢）補正量と（微分）補正量の双方を有する例を説明したが、少なくとも一方を有するようにしてもよい。
【００６２】
また、合成トルクと補正量に基づいて回動角度を制御する、図８に示す回動角度制御手段６１Ｃ（回動角度制御部）には、図１０のステップＳＢ２７〜ＳＢ３１が相当している。
【００６３】
●［本願の効果］
以上、本実施の形態にて説明したアシスト装置１は、例えば、対象者が前傾姿勢をとりながら腰を落として足元の重量物を持ち上げる場合、ゆっくりと立ち上がる際に要求バネトルク微分量β＊（ｄ／ｄｔ）Δτｓによる（微分）補正量が有効に働く。また、前傾姿勢における前傾角度に応じてアシストトルク指令値（姿勢角可変型）τa_ref_angによる（姿勢）補正量が有効に働く。従って、適切な補正を行ってアシストトルクの不足を抑制することができる。
【００６４】
また、適切な構造を有する身体装着具２（図２参照）とすることで、対象者への装着が容易である。また、アクチュエータユニット４Ｒは、図４に示すようにシンプルな構造であり、対象者への生体信号検出センサの貼り付けも不要である。そしてアクチュエータユニット４Ｒの制御装置６１による制御も、図９及び図１０を用いて説明したように、シンプルな制御である。
【００６５】
本発明のアシスト装置の構造、構成、形状、外観等は、本発明の要旨を変更しない範囲で種々の変更、追加、削除が可能である。例えば、制御装置の処理手順は、図１０に示すフローチャートに限定されるものではない。また、本実施の形態の説明では、渦巻バネ４３Ｒ（図４参照）を用いた例を説明したが、渦巻バネの代わりにトーションバネ（torsion barやtorsion bar spring）を用いてもよい。
【００６６】
本実施の形態にて説明したアシスト装置１では、ベルト等の接続と解放をバックルにて行う例を説明したが、バックルとは異なる部材にてベルト等の接続と解放を行うようにしてもよい。また、上半身装着部を、肩部ベルトと胸装着部の双方で構成することなく、一方のみで上半身装着部を構成するようにしてもよい。
【００６７】
本実施の形態にて説明したアシスト装置１は、身体装着具の左右にアクチュエータユニット４Ｒ、４Ｌを取り付けた例を説明したが、身体装着具の右側のみにアクチュエータユニット４Ｒを取り付けたアシスト装置としてもよいし、身体装着具の左側のみにアクチュエータユニット４Ｌを取り付けたアシスト装置としてもよい。
【００６８】
本実施の形態にて説明したアシスト装置１は、アシスト倍率α、微分補正ゲインβを、入力手段３２ＲＳから指示する例を説明したが、制御装置６１に（無線または有線で通信する）通信手段６４（図８参照）を設け、スマートフォン等からの通信にてアシスト倍率α、微分補正ゲインβを設定できるようにしてもよい。また、制御装置６１に（無線または有線で通信する）通信手段６４（図８参照）を備え、制御装置６１にて種々のデータを収集し、収集したデータを所定タイミング（常時、一定時間間隔、アシスト動作の終了後など）で解析システムに送信するようにしてもよい。例えば収集したデータには、対象者情報とアシスト情報とが有る。対象者情報は、例えば、対象者トルクや対象者の姿勢などを含み、対象者に関する情報である。アシスト情報は、例えば、アシストトルク、電動モータ（アクチュエータ）の回転角度（図８中の実モータ軸角度θａ）、出力リンク回動角度（図８中の実リンク角度θＬ）、アシスト倍率α、微分補正ゲインβなどを含み、アクチュエータユニットの入出力に関する情報である。また解析システムは、アシスト装置とは別に用意されたシステムであり、例えば、ネットワーク（ＬＡＮ）で接続する外部のパーソナルコンピュータ、サーバ、ＰＬＣ（Programmable Logic Controller）、ＣＮＣ（Computerized Numerical Control）装置などの組み込みシステムである。そして解析システムにて、アシスト装置１に固有（すなわち、対象者に固有）の最適な設定値（アシスト倍率α、微分補正ゲインβ等の最適な値）を解析（算出）させ、解析結果（算出した結果）である最適な設定値を含む解析情報を、アシスト装置１の制御装置６１（通信手段６４）に送信するようにしてもよい。解析システムで対象者の動作、アシスト力等を解析することで、作業の種類（繰り返しや、持ち上げ高さなど）や、対象者の能力を考慮した最適なアシストトルクを出力できる。そしてアクチュエータユニットは、解析システムから受信した解析情報（例えば、アシスト倍率α、微分補正ゲインβ）に基づいて、自身の動作を調整する（例えば、アシスト倍率α、微分補正ゲインβを、受信したアシスト倍率α、微分補正ゲインβに変更する）。
【符号の説明】
【００６９】
１        アシスト装置
２        身体装着具
４Ｒ、４Ｌ    アクチュエータユニット
１０      腰装着部
１１Ｌ    左腰装着部
１１Ｒ    右腰装着部
１２Ａ    腰パッド部
１２Ｂ    腰布部
１２Ｃ    腰ベース部
１３Ｒ、１３Ｌ    ベルト
１５Ｒ、１５Ｌ    回動軸部
１５Ｙ    仮想回動軸線
２０      上半身装着部
２１Ｌ    左上半身装着部
２１Ｒ    右上半身装着部
２２Ａ    パッド部
２２Ｂ    布部
２３Ｒ、２３Ｌ、２５Ｒ、２５Ｌ    ベルト
２４Ｌ    左肩部ベルト
２４Ｒ    右肩部ベルト
２６Ｌ    左胸装着部
２６Ｒ    右胸装着部
３０      フレーム部
３１      ボックス
３２      左右連結フレーム部
３２Ｒ、３２Ｌ    回動部
３２ＲＢ、３２ＬＢ    ボックス
３２ＲＣ、３２ＬＣ    保持部
３３      背面フレーム部
４０Ｒ    トルク発生部
４０Ｙ    回動軸線
４１Ｒ    アクチュエータベース部
４１ＲＢ    カバー
４１ＲＣ    接続部
４１ＲＸ、４１ＬＸ    回動軸線
４２Ｒ      減速機
４３Ｒ      渦巻バネ
４５Ｒ      電動モータ（アクチュエータ）
４５ＲＥ    モータ回転角度検出手段
５０Ｒ      トルク伝達部
５１Ｒ    大腿アーム
５２Ｒ    大腿装着部
５６Ｒ    接続部
５７Ｒ    アシストアーム（出力リンク）
５７ＲＢ    軸受
５７ＲＥ    出力リンク回動角度検出手段
６１      制御装置
６１Ａ    トルク判定手段（トルク判定部）
６１Ｂ    補正手段（補正部）
６１Ｃ    回動角度制御手段（回動角度制御部）
６２      モータドライバ
６３      電源ユニット
６４      通信手段
Ｋ        姿勢補正ゲイン
Ｋｓ      バネ定数
α        アシスト倍率
β        微分補正ゲイン
θａ      実モータ軸角度
θＬ      実リンク角度（姿勢角度）
【図１】
2018157930.tif 000003
【図２】
2018157930.tif 000004
【図３】
2018157930.tif 000005
【図４】
2018157930.tif 000006
【図５】
2018157930.tif 000007
【図６】
2018157930.tif 000008
【図７】
2018157930.tif 000009
【図８】
2018157930.tif 000010
【図９】
2018157930.tif 000011
【図１０】
2018157930.tif 000012